(57)【特許請求の範囲】
【請求項１】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、
前記入力部を通じて前記機能設定項目に係る設定内容の変更が指示されると、前記設定内容を変更して、当該変更した設定内容に対応する機能設定項目を前記一覧の先頭に配列し、
前記変更した設定内容に対応する機能設定項目の表示色を他の機能設定項目の表示色とは異ならせ、
前記設定内容の変更の後、前記入力部を通じて前記機能設定画面における予め設定された閉ボタンが操作されると、前記機能設定画面を閉じ、前記機能設定画面を前記表示部に再度表示させて、前記変更した設定内容に対応する機能設定項目の表示色を他の機能設定項目の表示色と同一にする画像処理装置。
【請求項２】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列し、
更に、前記制御部は、前記設定内容の変更の後、前記入力部を通じて前記機能設定画面における予め設定された閉ボタンが操作されると、前記機能設定画面を閉じ、前記機能設定画面を前記表示部に再度表示して、前記一覧の前記各機能設定項目を前記予め設定された順序で配列する画像処理装置。
【請求項３】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列すると共に、前記入力部を通じて前記機能設定画面における前記変更した設定内容に対応する機能設定項目を指定する指示がされ、この指示の継続時間が一定時間を超えたときに、前記変更した設定内容を示す変更履歴画面を前記表示部に表示し、
前記機能設定画面における前記変更した設定内容に対応する機能設定項目の表示色を他の機能設定項目の表示色とは異ならせており、
更に、前記制御部は、前記入力部を通じて前記変更履歴画面における予め設定された閉ボタンが操作されると、前記変更履歴画面を閉じて、前記機能設定画面を前記表示部に再度表示し、前記変更した設定内容に対応する機能設定項目の表示色を他の機能設定項目の表示色と同一にする画像処理装置。
【請求項４】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列すると共に、前記入力部を通じて前記機能設定画面における前記変更した設定内容に対応する機能設定項目を指定する指示がされ、この指示の継続時間が一定時間を超えたときに、前記変更した設定内容を示す変更履歴画面を前記表示部に表示し、
更に、前記制御部は、前記入力部を通じて前記変更履歴画面における予め設定された閉ボタンが操作されると、前記変更履歴画面を閉じて、前記機能設定画面を前記表示部に再度表示し、前記一覧の前記各機能設定項目を前記予め設定された順序で配列する画像処理装置。
【請求項５】
前記制御部は、前記機能設定項目別に、前記変更履歴画面を表示する請求項３又は請求項４に記載の画像処理装置。
【請求項６】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列すると共に、前記入力部を通じて前記機能設定画面における前記変更した設定内容に対応する機能設定項目を指定する指示がされ、この指示の継続時間が一定時間を超えたときに、前記変更した設定内容を示す変更履歴画面を前記表示部に表示し、
前記制御部は、前記変更した設定内容に対応する機能設定項目を指定する指示の継続時間が前記一定時間以下であったときに、前記変更した設定内容に対応する機能設定項目の変更履歴情報の印刷を行うか否かを問うダイアログボックスを前記表示部に表示して、前記入力部を通じての前記ダイアログボックスに対する操作に応じて印刷を行うか否かを判定する画像処理装置。
【請求項７】
前記制御部により印刷を行うと判定されたときに、前記機能設定項目の変更履歴情報として、該機能設定項目の設定内容、該設定内容の変更時間、及び該設定内容の入力元を印刷する印刷部を備える請求項６に記載の画像処理装置。
【請求項８】
前記機能設定項目の設定内容は、該設定内容の変更時間及び該設定内容の入力元と共に、変更履歴情報として前記変更履歴画面に示される請求項３乃至請求項５のいずれかに記載の画像処理装置。
【請求項９】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列すると共に、前記入力部を通じて前記機能設定画面における前記変更した設定内容に対応する機能設定項目を指定する指示がされ、この指示の継続時間が一定時間を超えたときに、前記変更した設定内容を示す変更履歴画面を前記表示部に表示し、
前記制御部は、前記入力部を通じて前記変更履歴画面における機能設定項目の設定内容を指定する指示がされ、この指示の継続時間が前記一定時間を超えるときに、前記設定内容を変更前の設定内容に戻す画像処理装置。
【請求項１０】
前記制御部は、前記入力部を通じて前記変更履歴画面における機能設定項目の設定内容を指定する指示がされ、この指示の継続時間が前記一定時間を超えるときに、前記設定内容を変更前の設定内容に戻す請求項３乃至請求項５及び請求項８のいずれかに記載の画像処理装置。
【請求項１１】
前記制御部は、前記機能設定項目の設定内容を指定する指示の継続時間が前記一定時間以下であったときに、当該画像処理装置の画像に係る機能の設定内容を前記表示部に表示する請求項９又は請求項１０に記載の画像処理装置。
【請求項１２】
前記制御部は、前記画像に係る機能の設定内容に対応するチェックボックスを前記表示部に表示して、前記入力部を通じて前記チェックボックスに対するチェックがなされると、前記機能設定項目の設定内容を変更前の設定内容に戻すときに、前記画像に係る機能の設定内容をデフォルトの設定内容に戻す請求項１１に記載の画像処理装置。
【請求項１３】
前記制御部は、前記入力部を通じて前記変更履歴画面における左右の予め設定された各スクロールボタンのいずれかが指示されると、前記変更履歴画面を他の機能設定項目の設定内容を示す他の変更履歴画面に遷移させる請求項３乃至請求項５、及び請求項８乃至請求項１２のいずれかに記載の画像処理装置。
【請求項１４】
表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、前記入力部を通じて前記機能設定項目に係る設定内容の変更が指示されると、前記設定内容を変更して、当該変更した設定内容に対応する機能設定項目を前記一覧の先頭に配列すると共に、前記入力部を通じて前記機能設定画面における前記変更した設定内容に対応する機能設定項目を指定する指示がされ、この指示の継続時間が一定時間を超えたときに、前記変更した設定内容を示す変更履歴画面を前記表示部に表示し、
更に、前記制御部は、前記変更履歴画面における機能設定項目の設定内容の変更日時前後の前記一定時間以内に変更した他の機能設定項目の設定内容がある場合に、この他の機能設定項目の設定内容の表示を指示するための履歴ボタンを前記表示部に表示する画像処理装置。
【請求項１５】
前記制御部は、前記変更履歴画面における機能設定項目の設定内容の変更日時前後の前記一定時間以内に変更した他の機能設定項目の設定内容がある場合に、この他の機能設定項目の設定内容の表示を指示するための履歴ボタンを前記表示部に表示する請求項３乃至請求項５、請求項８乃至請求項１３のいずれかに記載の画像処理装置。
【請求項１６】
前記制御部は、前記入力部を通じて前記履歴ボタンが指示されると、前記他の機能設定項目の設定内容を前記表示部に表示し、前記他の機能設定項目のいずれかが前記入力部を通じて指定されたときに、当該指定された前記他の機能設定項目の設定内容を再設定する請求項１４又は請求項１５に記載の画像処理装置。
【請求項１７】
前記制御部は、前記変更履歴画面における機能設定項目の設定内容及び前記他の機能設定項目の設定内容を変更すると、これら２つの機能設定項目を前記一覧の先頭から順次配置し、前記２つの機能設定項目の表示色を他の機能設定項目の色とは異ならせる請求項１６に記載の画像処理装置。
【発明の詳細な説明】
【技術分野】
【０００１】
本発明は、プリンターやＭＦＰ（Multifunction Printer）等の画像処理装置に関し、特に、複数の機能設定項目の設定内容の表示及び変更を指示するための技術に関する。
【背景技術】
【０００２】
プリンターやＭＦＰ（Multifunction Printer）等の画像処理装置には、複数の機能設定項目の設定内容の表示及び変更が可能とされている。この種の画像処理装置としては、特許文献１に記載のものがある。ここでは、利用者が機能を変更して実行した際に、変更前機能情報と変更後機能情報から機能変更情報を求めて記憶しておき、この後に利用者が上記機能を再び利用するときに、機能変更情報に基づき変更前機能情報を再現する。これにより、メモリー容量を削減しながらも、利用者が要望する機能を速やかに再現することを可能にしている。また、複数の機能変更情報を時系列で表示している。このため、最新の機能変更情報を容易に見つけ出して、この機能変更情報に対応する機能をより速やかに再現することができる。
【０００３】
更に、利用者別に、機能変更情報を管理しており、これによっても利用者が要望する機能を速やかに再現することを可能にしている。
【先行技術文献】
【特許文献】
【０００４】
【特許文献１】特開２０１２−２０５２９号公報
【発明の概要】
【発明が解決しようとする課題】
【０００５】
上記のように特許文献１では、複数の機能変更情報を時系列で表示しているため、最新の機能変更情報を容易に見つけ出すことができる。従って、画像処理装置において、例えばHTTPS、WSDScanなどの通信機能の設定内容を時系列で表示すれば、最新の設定内容を容易に見つけ出せると考えられる。しかしながら、複数の通信機能を使い分けたり組み合わせたりする場合は、最新の設定内容を見つけ出す以前に、利用者が複数の通信機能のうちから所望の通信機能を見つけ出して辿り着くまでの手順が煩雑であり、機能の設定内容を変更したり元に戻したりするための作業に長い時間を費やすという課題があった。
【０００６】
本発明は、上記の事情に鑑みなされたものであり、複数の機能を使い分けたり組み合わせたりする場合であっても、利用者が要望する機能を容易に見つけ出して、機能の設定内容を効率的に切替え可能にすることを目的とする。
【課題を解決するための手段】
【０００７】
本発明の一局面に係る画像処理装置は、表示部と、
複数の機能設定項目を予め設定された順序で配列した一覧を示す機能設定画面を前記表示部に表示させる制御部と、
前記表示部に表示されている前記機能設定画面に示される前記各機能設定項目に係る設定内容の入力を行うために、利用者により操作される入力部とを備え、
前記制御部は、
前記入力部を通じて前記機能設定項目に係る設定内容の変更が指示されると、前記設定内容を変更して、当該変更した設定内容に対応する機能設定項目を前記一覧の先頭に配列し、
前記変更した設定内容に対応する機能設定項目の表示色を他の機能設定項目の表示色とは異ならせ、
前記設定内容の変更の後、前記入力部を通じて前記機能設定画面における予め設定された閉ボタンが操作されると、前記機能設定画面を閉じ、前記機能設定画面を前記表示部に再度表示させて、前記変更した設定内容に対応する機能設定項目の表示色を他の機能設定項目の表示色と同一にするものである。
【発明の効果】
【０００８】
本発明によれば、複数の機能を使い分けたり組み合わせたりする場合であっても、利用者が要望する機能を容易に見つけ出して、機能の設定内容を効率的に切替えることができる。
【図面の簡単な説明】
【０００９】
【図１】本発明の画像処理装置の一実施形態としての画像形成装置を示す断面図である。
【図２】画像形成装置の主要内部構成を示す機能ブロック図である。
【図３Ａ】（ａ）〜（ｆ）は、通信機能に対応する機能設定項目の設定内容を変更する処理に際し、表示部に表示される画面の遷移を示す図である。
【図３Ｂ】（ｇ）〜（ｊ）は、図３Ａに引き続いて表示部に表示される画面の遷移を示す図である。
【図４】（ａ）〜（ｃ）は、変更された設定内容の印刷処理に際し、表示部に表示される画面の遷移を示す図である。
【図５】（ａ）〜（ｅ）は、変更された設定内容の表示処理に際し、表示部に表示される画面の遷移を示す図である。
【図６】（ａ）、（ｂ）は、ネットワーク設定画面の表示を元に戻す処理に際し、表示部に表示される画面の遷移を示す図である。
【図７】（ａ）〜（ｃ）は、ネットワーク設定画面の表示を元に戻す他の処理に際し、表示部に表示される画面の遷移を示す図である。
【図８】（ａ）〜（ｄ）は、変更された機能設定項目の設定内容を元に戻す処理に際し、表示部に表示される画面の遷移を示す図である。
【図９】（ａ）〜（ｅ）は、２つの機能設定項目の設定内容を変更する処理に際し、表示部に表示される画面の遷移を示す図である。
【図１０】（ａ）〜（ｅ）は、変更された２つの機能設定項目の設定内容を確認する処理に際し、表示部に表示される画面の遷移を示す図である。
【図１１】（ａ）、（ｂ）は、機能設定項目の設定内容を確認する処理に際し、表示部に表示される画面の遷移を示す図である。
【図１２】通信機能の設定内容の変更等の処理を示すフローチャートである。
【図１３】変更された設定内容を印刷するための処理を示すフローチャートである。
【図１４】変更された機能設定項目の設定内容を元に戻す処理を示すフローチャートである。
【図１５】２つの機能設定項目の設定内容を変更する処理を示すフローチャートである。
【図１６】ネットワーク設定画面における機能設定項目の設定内容を確認するための処理を示すフローチャートである。
【発明を実施するための形態】
【００１０】
以下、本発明の一実施形態に係る画像処理装置について図面を参照して説明する。図１は、本発明の画像処理装置の一実施形態としての画像形成装置を示す断面図である。
【００１１】
この画像形成装置１は、例えば、コピー機能、プリンター機能、スキャナー機能、及びファクシミリ機能のような複数の機能を兼ね備えた複合機である。画像形成装置１は、装置本体２に、操作部４７、画像形成部１２０、定着部１３、給紙部１４、搬送部１５、原稿給送部６、及び画像読取部（ＩＳＵ;Image scanner unit）５等を備えて構成される。
【００１２】
操作部４７は、画像形成装置１が実行可能な各種動作及び処理について利用者から画像形成動作実行指示や画像読取動作実行指示等の指示を受け付ける。
【００１３】
画像形成装置１が画像読取動作を行う場合、原稿給送部６により給送されてくる原稿、又は、コンタクトガラス（原稿載置ガラス）１６１に載置された原稿の画像を画像読取部５が光学的に読み取り、画像データを生成する。画像読取部５により生成された画像データは、内蔵ＨＤＤ又はネットワーク接続されたコンピューター等に保存される。
【００１４】
画像形成装置１が画像形成動作を行う場合は、上記の画像読取動作により生成された画像データ、ネットワーク接続されたコンピューターやスマートフォン等のユーザー端末装置から受信した画像データ、又は内蔵ＨＤＤに記憶されている画像データ等に基づいて、画像形成部１２０が、給紙部１４から給紙される記録媒体としての記録紙Ｐにトナー像を形成する。
【００１５】
画像形成部１２０の画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、感光体ドラム１２２の表面の静電潜像をトナー像に現像する現像装置と、１次転写ローラー１２６とをそれぞれ備えている。
【００１６】
カラー印刷を行う場合、画像形成部１２０のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋにおいては、感光体ドラム１２２の表面を均一に帯電させてから露光して、その表面にカラーの色成分の画像に対応する静電潜像を形成し、感光体ドラム１２２の表面の静電潜像をその色成分のトナーにより現像して、感光体ドラム１２２上にトナー像を形成し、トナー像を１次転写ローラー１２６により、駆動ローラー１２５Ａ及び従動ローラー１２５Ｂに張架されている中間転写ベルト１２５上に１次転写させる。
【００１７】
中間転写ベルト１２５は、その外周面にトナー像が転写される像担持面が設定され、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００１８】
中間転写ベルト１２５上に転写される各色成分のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を通じて搬送されてきた記録紙Ｐに２次転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００１９】
給紙部１４は、複数の給紙カセットを備える。利用者による操作部４７の操作で記録紙Ｐのサイズが指示されると、このサイズの記録紙Ｐを収容している給紙カセットのピックアップローラー１４５が回転駆動されて、記録紙Ｐが搬送部１５の搬送路１９０へと搬送される。
【００２０】
搬送部１５は、搬送路１９０と、搬送路１９０に沿って配置された複数の搬送ローラー対と、ニップ部Ｎよりも記録紙の搬送方向上流側に配置されたレジストローラー対と、搬送路１９０の終端に配置された排出ローラー対１５９とを備えており、記録紙をニップ部Ｎ及び定着部１３を通じて排出トレイ１５１へと搬送する。
【００２１】
次に、画像形成装置１の構成を説明する。図２は画像形成装置１の主要内部構成を示す機能ブロック図である。
【００２２】
画像形成装置１は、制御ユニット６０、画像読取部５、原稿給送部６、定着部１３、画像形成部１２０、操作部４７、画像メモリー６２、ＨＤＤ６３、ファクシミリ通信部６４、及びネットワークインターフェイス部６６等を備えて構成される。なお、図１を用いて説明した構成要素と同じものには同じ番号を付している。
【００２３】
制御ユニット６０は、ＣＰＵ(Central Processing Unit)、ＲＡＭ、ＲＯＭ及び専用のハードウェア回路等から構成される。制御ユニット６０は、制御部６１を備える。
【００２４】
制御部６１は、制御ユニット６０、画像読取部５、原稿給送部６、定着部１３、画像形成部１２０、操作部４７、画像メモリー６２、ＨＤＤ６３、ファクシミリ通信部６４、及びネットワークインターフェイス部６６等と接続され、これらの制御を行って、画像形成装置１の全体的を制御する。特に、制御部６１は、表示部４７３の表示制御を行う。
【００２５】
操作部４７は、各種のハードキー、利用者への操作案内等を表示する表示部４７３、及び表示部４７３に設けられたタッチパネル等を備えている。タッチパネルは、表示部４７３の画面に表示された複数のボタンに対するそれぞれのタッチ操作を検出する。操作部４７は、ハードキーや表示部４７３の画面のボタンが操作されると、この操作による入力の内容、例えば、当該操作されたボタンに対応付けられている数値や選択内容などを制御部６１に指示する。
【００２６】
ファクシミリ通信部６４は、図略の符号化／復号化部、変復調部及びＮＣＵ（Network Control Unit）を備え、公衆電話回線網を用いてのファクシミリ通信を行うものである。
【００２７】
ネットワークインターフェイス部６６は、ＬＡＮボード等の通信モジュールから構成され、ネットワークインターフェイス部６６に接続されたＬＡＮ等を介して、ローカルエリア内又はインターネット上のパーソナルコンピューター等の外部装置６７と種々のデータ通信を行う。
【００２８】
画像メモリー６２は、画像読取部５により読取られた原稿画像のデータを一時的に記憶したり、画像形成部１２０のプリント対象となるデータを一時的に保存したりする領域である。
【００２９】
ＨＤＤ６３は、画像読取部５によって読取られた原稿画像等を記憶する大容量の記憶装置である。
【００３０】
このような構成において、利用者は、操作部４７を操作することによりファクシミリ通信機能、コピー機能、プリンター機能、およびスキャナー機能のいずれかを選択して動作させることができる。例えば、操作部４７の操作により、コピー機能が選択され、記録紙の枚数及びサイズが指示され、コピー動作の開始が指示されると、制御部６１は、画像読取部５及び原稿給送部６により原稿の画像を読取らせ、画像形成部１２０等により該原稿の画像を上記指示された枚数及びサイズの記録紙に印刷させる。同様に、ファクシミリ通信機能、プリンター機能、およびスキャナー機能についても、操作部４７の操作により、動作させることができる。
【００３１】
また、利用者は、操作部４７を操作することにより、ネットワークインターフェイス部６６を通じてネットワークリソースを利用することができる。このネットワークリソースの利用のために、ネットワークインターフェイス部６６を通じて、複数種の通信機能に基づくデータ通信が可能であり、また各通信機能を使い分けたり組み合わせたりすることが可能である。利用者による操作部４７の操作に基づいて、各通信機能の設定内容を変更したり元に戻したりする操作が可能とされている。
【００３２】
しかしながら、利用者が複数の通信機能やその設定内容から、所望の通信機能その設定内容を見つけ出してたどり着くまでの手順が煩雑であるならば、通信機能の設定内容を変更したり元に戻したりするための作業に長い時間を費やしてしまう。
【００３３】
そこで、本実施形態では、利用者が要望する機能を容易に見つけ出して、機能の設定内容を効率的に変更したり戻したりすることができるようにしている。また、全ての利用者にとっての利便性の向上を図っている。
【００３４】
次に、そのような利用者が要望する通信機能を容易に見つけ出して、その設定内容の変更等を行うための構成及び手順について説明する。
【００３５】
本実施形態の画像形成装置１では、例えば、WSDScan、WSDPrint、EnhancedWSD、EnhancedWSD(SSL)、HTTPS、IPP、LDAP等のプロトコルによる複数の通信機能を使い分けたり組み合わせたりすることができる。制御部６１が、それぞれの通信機能を実行するための管理プログラム及びデータに基づいて、これらの通信機能を実行する。制御部６１は、例えば、ネットワークインターフェイス部６６により、当該通信機能によるデータ通信を行わせる。
【００３６】
ＨＤＤ６３には、各通信機能を実行するための管理プログラム及びデータが予め記憶されており、制御部６１は、管理プログラム及びデータに基づき通信機能毎に、設定内容の変更等の処理を実行する。また、制御部６１は、各通信機能の設定内容の変更等を指示するための画面を表示部４７３に表示させ、利用者による上記タッチパネルのタッチ操作に基づき変更等の指示を受け付け、この指示に応じて設定変更等の処理を進める。
【００３７】
次に、各通信機能の設定内容の変更等の処理を具体的に説明する。図３Ａ乃至図１１は、その処理の過程で表示部４７３に表示されるそれぞれの画面を示している。図１２は、通信機能の設定内容の変更等の処理を示すフローチャートである。これらの画面は、データとしてＨＤＤ６３に記憶されており、制御部６１の制御により読出されて表示部４７３に表示される。
＜機能設定項目の設定内容を変更する処理＞
【００３８】
まず、ネットワークが起動されている状態で、利用者が操作部４７を操作してネットワーク設定を指示し、当該指示を制御部６１が受け付けると（Ｓ１）、制御部６１の制御により、図３Ａ（ａ）に示すようなネットワーク設定画面ＮＩが表示部４７３に表示される（Ｓ２）。このネットワーク設定画面ＮＩには、WSDScan、WSDPrint、EnhancedWSD、EnhancedWSD(SSL)、HTTPSによるそれぞれの通信機能等に対応する各機能設定項目Ｆ１〜Ｆ５を予め設定された順序で配列した一覧Ｌが表示されている。また、上方向スクロールボタンＳＢ１、下方向スクロールボタンＳＢ２、及び閉ボタンＢｃも表示されている。
【００３９】
ここで、利用者により下方向スクロールボタンＳＢ２がタッチ操作されると、制御部６１の制御によりネットワーク設定画面ＮＩにおける各機能設定項目がスライドして、該各機能設定項目の下側に引き続く順序の機能設定項目が次々と表示され、図３Ａ（ｂ）に示すようにネットワーク設定画面ＮＩにおける各機能設定項目が更新される。図３Ａ（ｂ）のネットワーク設定画面ＮＩにおける一覧Ｌでは、HTTPSの通信機能に対応する機能設定項目Ｆ５に引き続いて、IPP、LDAP、Raw、NetworkRestartのそれぞれの機能に対応する各機能設定項目Ｆ６〜Ｆ９が予め設定された順序で配列されている。なお、上方向スクロールボタンＳＢ１がタッチ操作されると、ネットワーク設定画面ＮＩにおける各機能設定項目が逆方向にスライドする。
【００４０】
このとき、利用者により、図３Ａ（ｃ）に示すようにHTTPSの機能設定項目Ｆ５がタッチ操作（後で述べるように３秒以下のタッチ操作）により指定され、制御部６１が当該指定を受け付けると（Ｓ３でＹＥＳ）、制御部６１の制御により図３Ａ（ｄ）に示すような設定内容変更画面Ｃｂが表示部４７３に表示される（Ｓ４）。図３Ａ（ｄ）の設定内容変更画面Ｃｂには、HTTPSの機能設定項目Ｆ５の設定内容として、HTTPSの通信機能の要及び不要を指示するためのオンボタンＢｏ及びオフボタンＢｆが表示されている。また、２つの上方向スクロールボタンＳＢ１、下方向スクロールボタンＳＢ２、及び閉ボタンＢｃも表示されている。
【００４１】
例えば、利用者により、図３Ａ（ｄ）に示すようにオフボタンＢｆがタッチ操作されて、HTTPSの通信機能の不要が指示され、引き続いて閉ボタンＢｃがタッチ操作されると、このオフボタンＢｆのタッチ操作に基づいて、制御部６１は、HTTPSの通信機能の不要の指示を受け付ける（Ｓ５）。当該指示を受け付けると、制御部６１は、設定内容変更画面Ｃｂを閉じ、図３Ａ（ｅ）に示すようにネットワーク設定画面ＮＩを表示部４７３に再度表示し、更に図３Ａ（ｆ）に示すような設定確認用のダイアログボックスＰａを表示する。このダイアログボックスＰａには、設定内容変更画面Ｃｂのボタンのタッチ操作による指示をネットワーク設定に反映するか否かを確認するためのイエスボタンＢｙ及びノーボタンＢｎが表示されている。
【００４２】
このとき、利用者によりノーボタンＢｎがタッチ操作された場合は、設定内容変更画面ＣｂのオフボタンＢｆのタッチ操作によるHTTPSの通信機能の不要の上記指示がネットワーク設定に反映されることなく、制御部６１の制御によりダイアログボックスＰａが閉じられて、図３Ａ（ｃ）に示すようなネットワーク設定画面ＮＩの表示に戻される。
【００４３】
また、利用者によりイエスボタンＢｙがタッチ操作されると、制御部６１は、上記指示の内容（HTTPSの通信機能は不要）をネットワーク設定に反映させるという指示を受け付け（Ｓ６）、制御部６１の制御により図３Ｂ（ｇ）に示すように再起動画面Ｓｋが表示部４７３に表示されると共に、ネットワーク機能の再起動が行われて（Ｓ７）、HTTPSの機能設定項目Ｆ５の設定内容として、HTTPSの通信機能の不要の設定が登録される（Ｓ８）。すなわち、設定内容変更画面ＣｂのオフボタンＢｆのタッチ操作によるHTTPSの通信機能の不要の指示がネットワーク設定に反映される。
【００４４】
更に、制御部６１の制御によりHTTPSの機能設定項目Ｆ５の設定内容が変更日時及び入力元端末等と共にＨＤＤ６３等に記憶されて、機能設定項目Ｆ５の変更履歴情報が更新される（Ｓ９）。ここでは、入力元端末は、機能設定項目Ｆ５の設定内容の変更の指示が出された画像形成装置１となる。また、変更履歴情報を、ネットワークインターフェイス部６６を通じてネットワーク上のサーバに記憶して、この変更履歴情報を画像形成装置１及び外部装置６７の間で共有する場合は、入力元端末が画像形成装置１だけではなく、外部装置６７等となることもある。
【００４５】
そして、制御部６１の制御により図３Ｂ（ｈ）に示すようなネットワーク設定画面ＮＩの表示に戻され、更に図３Ｂ（ｈ）のネットワーク設定画面ＮＩが図３Ｂ（ｉ）に示すように更新される（Ｓ１０）。図３Ｂ（ｉ）のネットワーク設定画面ＮＩにおける一覧Ｌでは、HTTPSの機能設定項目Ｆ５が先頭に配置され、引き続いてWSDScan、WSDPrint、EnhancedWSD、EnhancedWSD(SSL)の機能設定項目Ｆ１〜Ｆ４が予め設定された順序で配列されている。ここで、図３Ａ（ａ）と図３Ｂ（ｈ）とを比較すると明らかなように、予め設定された各機能設定項目Ｆ１〜Ｆ５の順序が変更されている。すなわち、予め設定された順序を変更して、機能設定項目Ｆ５を先頭に配置している。
【００４６】
また、制御部６１の制御により図３Ｂ（ｉ）に示すようにネットワーク設定画面ＮＩにおける先頭の機能設定項目Ｆ５の表示色が他の機能設定項目の表示色と異なるように設定される。この結果、図３Ｂ（ｊ）に示すようなネットワーク設定画面ＮＩが表示部４７３に表示されることとなる。
【００４７】
このようにネットワーク設定画面ＮＩにおける任意の機能設定項目をタッチ操作して選択し、この機能設定項目の設定内容の変更を指示すると、ネットワーク再起動が行われ、この機能設定項目の設定内容が変更されて、この機能設定項目の変更履歴情報が更新され、この機能設定項目がネットワーク設定画面ＮＩの一覧Ｌの先頭に配列されて、この機能設定項目の表示色が他の機能設定項目の表示色と異なるように設定される。このため、変更された設定内容に対応する機能設定項目を容易に識別することができる。
【００４８】
なお、本実施形態では、説明の簡単化のために、機能設定項目の設定内容として、通信機能の要及び不要を例に挙げているが、通信機能に係る種々の値の設定及び変更が可能である。
【００４９】
また、制御部６１は、機能設定項目の設定内容が変更される度に、この機能設定項目の設定内容、変更日時、入力元端末等をＨＤＤ６３等に逐次記憶して、この機能設定項目の変更履歴情報を更新している。
＜変更された設定内容の印刷処理＞
【００５０】
次に、変更された設定内容を印刷するための処理について説明する。図１３は、変更された設定内容を印刷するための処理を示すフローチャートである。HTTPSの機能設定項目Ｆ５の設定内容が変更されて、図３Ｂ（ｊ）に示すようなネットワーク設定画面ＮＩが表示部４７３に表示された状態で（Ｓ２１）、利用者は、図４（ａ）に示すように先頭に配列されたHTTPSの機能設定項目Ｆ５を３秒以下の間タッチ操作して、機能設定項目Ｆ５の変更履歴情報の印刷を指示することができる。
【００５１】
このとき、制御部６１によりタッチ操作の継続時間が計時されて、継続時間が３秒を超えたか否かが判定される（Ｓ２２）。そして、タッチ操作の継続時間が３秒を超えなければ、つまり３秒以下である場合は（Ｓ２２でＮＯ）、制御部６１により機能設定項目Ｆ５の変更履歴情報の印刷が指示されたと判定され、図４（ｂ）に示すように印刷確認用のダイアログボックスＰｂが表示部４７３に表示される（Ｓ２３）。このダイアログボックスＰｂには、機能設定項目Ｆ５の変更履歴情報を印刷するか否かを確認するためのイエスボタンＢｙ及びノーボタンＢｎが表示されている。
【００５２】
利用者によりノーボタンＢｎがタッチ操作された場合は（Ｓ２４でＮＯ）、機能設定項目Ｆ５の変更履歴情報が印刷されることなく、制御部６１の制御によりダイアログボックスＰｂが閉じられて、図４（ａ）のネットワーク設定画面ＮＩの表示に戻される。
【００５３】
また、利用者によりイエスボタンＢｙがタッチ操作されると（Ｓ２４でＹＥＳ）、制御部６１により機能設定項目Ｆ５の変更履歴情報がＨＤＤ６３等から読み出され、画像形成部１２０等が制御されて、図４（ｃ）に示すようなHTTPSの機能設定項目Ｆ５の変更履歴情報が記録紙Ｐに印刷される（Ｓ２５）。先に述べたようにネットワーク再起動が行われて、機能設定項目の設定内容が変更される度に、この機能設定項目の変更履歴情報が更新される。このため、変更履歴情報には、最新の設定内容が含まれており、利用者は、記録用紙Ｐに印刷された変更履歴情報を参照することにより直前に自分で変更した設定内容を確認することができる。
【００５４】
このように先頭に配列された機能設定項目をタッチ操作して、このタッチ操作の継続時間を３秒以下にした場合は、この機能設定項目の変更履歴情報が記録紙Ｐに印刷される。＜変更された設定内容の表示処理＞
【００５５】
次に、変更された設定内容を表示するための処理について上記図１３を用いて説明する。HTTPSの機能設定項目Ｆ５の設定内容が変更されて、図３Ｂ（ｊ）に示すようなネットワーク設定画面ＮＩが表示部４７３に表示された状態で（Ｓ２１）、利用者は、図５（ａ）に示すように先頭に配列されたHTTPSの機能設定項目Ｆ５を、３秒を超える間タッチ操作して（Ｓ２２でＹＥＳ）、機能設定項目Ｆ５の変更履歴情報の表示を指示することができる（Ｓ３３）。
【００５６】
すなわち、制御部６１によりタッチ操作の継続時間が計時されて、継続時間が３秒を超えたか否かが判定される。そして、タッチ操作の継続時間が３秒を超えると（Ｓ２２でＹＥＳ）、制御部６１により機能設定項目Ｆ５の変更履歴情報の表示が指示されたと判定され、図５（ｂ）に示すように機能設定項目Ｆ５の変更履歴情報を示す変更履歴画面Ｈが表示部４７３に表示される（Ｓ３３）。この変更履歴画面Ｈには、機能設定項目Ｆ５の変更履歴情報だけではなく、上方向スクロールボタンＳＢ１、下方向スクロールボタンＳＢ２、右方向スクロールボタンＳＢ３、左方向スクロールボタンＳＢ４、及び閉ボタンＢｃも表示されている。
【００５７】
ここで、利用者により下方向スクロールボタンＳＢ２がタッチ操作されると（Ｓ３４でＹＥＳ）、制御部６１の制御により変更履歴画面Ｈにおける各設定内容がスライドして、該各設定内容の下側に引き続くより古い変更日時の設定内容が次々とスクロール表示され（Ｓ３５）、図５（ｃ）に示すように変更履歴画面Ｈにおける表示内容が更新される。また、上方向スクロールボタンＳＢ１がタッチ操作されると、変更履歴画面Ｈにおける各設定内容が逆方向にスライドされる。
【００５８】
一方、利用者により右方向スクロールボタンＳＢ３がタッチ操作されると、制御部６１の制御により変更履歴画面Ｈにおける機能設定項目の変更履歴情報が、図５（ａ）のネットワーク設定画面ＮＩにおける各機能設定項目Ｆ５、Ｆ１、Ｆ２、Ｆ３、Ｆ４の順序で遷移するように変更される。すなわち、図５（ｄ）、（ｅ）に示すように変更履歴画面Ｈには、それぞれの機能設定項目の変更履歴情報が順次表示される。また、左方向スクロールボタンＳＢ４がタッチ操作されると、変更履歴画面Ｈにおける機能設定項目の変更履歴情報が、逆の順序で遷移するように変更される。
【００５９】
このように先頭に配列された機能設定項目をタッチ操作して、このタッチ操作の継続時間を３秒を超えるようにした場合は、この機能設定項目の変更履歴情報が表示部４７３に表示される。また、上方向スクロールボタンＳＢ１又は下方向スクロールボタンＳＢ２をタッチ操作することにより、変更履歴画面Ｈにおける各設定内容を新しいものから旧いものへと又は旧いものから新しいものへと変更させることができる。更に、右方向スクロールボタンＳＢ３又は左方向スクロールボタンＳＢ４をタッチ操作することにより、変更履歴画面Ｈにおける機能設定項目の変更履歴情報を、図５（ａ）のネットワーク設定画面ＮＩにおける各機能設定項目Ｆ５、Ｆ１、Ｆ２、Ｆ３、Ｆ４の順序で又は逆の順序で遷移するように変更させることができる。
＜ネットワーク設定画面ＮＩの表示を元に戻す処理＞
【００６０】
次に、ネットワーク設定画面ＮＩの表示を元に戻す処理について説明する。HTTPSの機能設定項目Ｆ５の設定内容が変更されて、図３Ｂ（ｊ）に示すようなネットワーク設定画面ＮＩが表示部４７３に表示された状態で、利用者は、図６（ａ）に示すようにネットワーク設定画面ＮＩの閉ボタンＢｃをタッチ操作して、ネットワーク設定画面ＮＩの表示を元に戻すことを指示することができる。
【００６１】
この閉ボタンＢｃがタッチ操作されると、制御部６１により図６（ａ）のネットワーク設定画面ＮＩが閉じられて、図６（ｂ）に示すようなネットワーク設定画面ＮＩが表示部４７３に再度表示される。この図６（ｂ）のネットワーク設定画面ＮＩは、図３Ａ（ａ）の元のネットワーク設定画面ＮＩと同一であり、各機能設定項目Ｆ１〜Ｆ５を予め設定された順序で配列した一覧Ｌを示している。また、機能設定項目Ｆ５の表示色が、他の機能設定項目の表示色と同一にされている。
【００６２】
また、変更履歴画面Ｈにおいても、ネットワーク設定画面ＮＩの表示を元に戻すことを指示することができる。すなわち、図７（ａ）に示すように先頭に配列されたHTTPSの機能設定項目Ｆ５が３秒を超える間タッチ操作されて、機能設定項目Ｆ５の変更履歴情報の表示が指示され、図７（ｂ）に示すように機能設定項目Ｆ５の変更履歴情報を示す変更履歴画面Ｈが表示部４７３に表示された状態で、利用者は、変更履歴画面Ｈの閉ボタンＢｃをタッチ操作して、ネットワーク設定画面ＮＩの表示を元に戻すことを指示することができる。
【００６３】
この閉ボタンＢｃがタッチ操作されると、制御部６１により図７（ｂ）の変更履歴画面Ｈが閉じられて、図７（ｃ）に示すようなネットワーク設定画面ＮＩが表示部４７３に再度表示される。この図７（ｃ）のネットワーク設定画面ＮＩは、図３Ａ（ａ）の元のネットワーク設定画面ＮＩと同一である。
【００６４】
このようにネットワーク設定画面ＮＩ及び変更履歴画面Ｈのいずれの閉ボタンＢｃをタッチ操作しても、図３Ａ（ａ）の元のネットワーク設定画面ＮＩを再度表示させることができる。
＜変更された機能設定項目の設定内容を元に戻す処理＞
【００６５】
次に、変更された機能設定項目の設定内容を元に戻す処理について説明する。図１４は、変更された機能設定項目の設定内容を元に戻す処理を示すフローチャートである。ネットワーク設定画面ＮＩが表示部４７３に表示された状態で（Ｓ４１）、利用者により、図５（ａ）に示すように先頭に配列されたHTTPSの機能設定項目Ｆ５が３秒を超える間タッチ操作されて（Ｓ４２でＹＥＳ）、図５（ｂ）に示すように機能設定項目Ｆ５の変更履歴情報を示す変更履歴画面Ｈが表示部４７３に表示された状態で（Ｓ４３）、利用者は、図８（ａ）に示すように変更履歴画面Ｈの変更履歴情報における先頭の設定内容を３秒以下の間タッチ操作して、この画像形成装置１の画像に係る機能の設定内容の確認を指示することができる。
【００６６】
このとき、制御部６１によりタッチ操作の継続時間が計時されて、例えば継続時間が３秒を超えたか否かが判定される（Ｓ４４）。そして、タッチ操作の継続時間が３秒を超えなければ、つまり３秒以下である場合は（Ｓ４４でＮＯ）、制御部６１により画像形成装置１の画像に係る機能の設定内容の確認が指示されたと判定され、図８（ｂ）に示すように画像に係る機能確認用のダイアログボックスＰｃが表示部４７３に表示される（Ｓ４５）。このダイアログボックスＰｃには、画像に係る機能について、デフォルトの設定内容から変更された設定内容が表示されて、この設定内容毎に、チェックボックスＴｂが表示され、また閉ボタンＢｃ等も表示されている。
【００６７】
利用者によりチェックボックスＴｂに対するチェックがなされ、チェックボックスＴｂに対応する画像に係る機能の設定内容を元に戻す指示が入力されると（Ｓ４６でＹＥＳ）、制御部６１によりチェックボックスＴｂに対応する画像に係る機能の設定内容を元に戻す指示が受け付けられる（Ｓ４７）。この判定は、それぞれのチェックボックスＴｂについて行われる。
【００６８】
そして、利用者によりダイアログボックスＰｃの閉ボタンＢｃがタッチ操作されると（Ｓ４８でＹＥＳ）、制御部６１の制御によりダイアログボックスＰｃが閉じられて（Ｓ４９）、図８（ｃ）に示すように変更履歴画面Ｈの表示に戻される（Ｓ４１）。
【００６９】
更に、利用者により、図８（ｃ）に示すように変更履歴画面Ｈの先頭の設定内容が３秒を超える間タッチ操作されると（Ｓ４４でＹＥＳ）、制御部６１の制御により図８（ｄ）に示すように再起動画面Ｓｋが表示部４７３に表示されると共に、ネットワーク再起動が行われて（Ｓ５０）、先頭の設定内容が変更前の設定内容に戻されると共に、チェックボックスＴｂに対応する画像に係る機能の設定内容がデフォルトの設定内容に戻されて、ＨＤＤ６３等に記憶されている該各設定内容が更新される（Ｓ５１）。
【００７０】
この後、制御部６１の制御により図３Ａ（ａ）の元のネットワーク設定画面ＮＩの表示に戻される。このネットワーク設定画面ＮＩでは、元に戻された設定内容に該当する機能設定が最上位に表示される。
【００７１】
このように変更履歴画面Ｈの変更履歴情報における先頭の設定内容に対する３秒以下のタッチ操作により、画像形成装置１の画像に係る機能確認用のダイアログボックスＰｃを表示させてから、ダイアログボックスＰｃのチェックボックスＴｂに対するチェックを行い、先頭の設定内容に対する３秒を超える間のタッチ操作により、ネットワーク再起動を行わせると、先頭の設定内容が変更前の設定内容に戻されると共に、チェックボックスＴｂに対応する画像に係る機能の設定内容がデフォルトの設定内容に戻される。
【００７２】
なお、画像に係る機能確認用のダイアログボックスＰｃのチェックボックスＴｂに対するチェックがなされず、あるいはダイアログボックスＰｃが表示されることなく、変更履歴画面Ｈの変更履歴情報における先頭の設定内容が３秒を超える間タッチ操作された場合は、ネットワーク再起動が行われて、先頭の設定内容のみが変更前の設定内容に戻されて、ＨＤＤ６３等に記憶されている該設定内容が更新される。
＜２つの機能設定項目の設定内容を変更する処理＞
【００７３】
次に、２つの機能設定項目の設定内容を変更する処理について説明する。図１５は、２つの機能設定項目の設定内容を変更する処理を示すフローチャートである。ネットワーク設定画面ＮＩが表示部４７３に表示された状態で（Ｓ６１）、利用者により、図５（ａ）に示すように先頭に配列されたHTTPSの機能設定項目Ｆ５が３秒を超える間タッチ操作されて（Ｓ６２でＹＥＳ）、図５（ｂ）に示すように機能設定項目Ｆ５の変更履歴情報を示す変更履歴画面Ｈが表示部４７３に表示されたときには（Ｓ６３）、制御部６１により、その機能設定項目Ｆ５の変更履歴情報における設定内容の変更日時前後の一定時間の間に他の機能設定項目の設定内容が変更されたか否かが判定される（Ｓ６４）。そして、他の機能設定項目の設定内容が変更されている場合には（Ｓ６４でＹＥＳ）、図９（ａ）に示すように変更履歴画面Ｈが更新される（Ｓ６５）。図９（ａ）の変更履歴画面Ｈには、機能設定項目Ｆ５の設定内容の変更日時毎に、該当する他の機能設定項目の設定内容があれば、この旨を示す履歴ボタンＢｈが表示されている。
【００７４】
詳しくは、機能設定項目Ｆ５の変更履歴情報における設定内容の変更日時毎に、機能設定項目Ｆ５の設定内容の変更日時をＨＤＤ６３等に記憶されている他の全ての機能設定項目の設定内容の変更日時と照合して、機能設定項目Ｆ５の設定内容の変更日時前後の一定時間に入るような他の機能設定項目の設定内容の変更日時を検索し、該当する他の機能設定項目の設定内容の変更日時がある場合に、機能設定項目Ｆ５のその変更日時に変更された設定内容に対応付けて履歴ボタンＢｈを表示する。
【００７５】
そして、図９（ａ）の変更履歴画面Ｈにおいて、利用者により任意の履歴ボタンＢｈがタッチ操作されると、制御部６１により、該当する他の機能設定項目の設定内容の確認が指示されたと判定され、図９（ｂ）に示すように該当する他の機能設定項目の設定内容の確認用のダイアログボックスＰｄが表示部４７３に表示される。このダイアログボックスＰｄには、該当する他の機能設定項目の設定内容毎に、チェックボックスＴｄが表示され、また閉ボタンＢｃ等も表示されている。
【００７６】
利用者により他の機能設定項目のチェックボックスＴｄに対するチェックがなされると、制御部６１により、他の機能設定項目のチェックボックスＴｄに対応する設定内容を設定することが判定される。この判定は、それぞれのチェックボックスＴｄについて行われる。
【００７７】
ここで、例えば、任意の履歴ボタンＢｈがタッチ操作されて、EnhancedWSDの機能設定項目Ｆ３の設定内容の確認が指示されたと判定され、機能設定項目Ｆ３の設定内容の確認用のダイアログボックスＰｄが表示されたものとする。この機能設定項目Ｆ３のチェックボックスＴｄに対するチェックがなされると、この機能設定項目Ｆ３の該チェックボックスＴｄに対応する設定内容を設定することが判定される。
【００７８】
そして、利用者によりダイアログボックスＰｄの閉ボタンＢｃがタッチ操作されると、制御部６１の制御によりダイアログボックスＰｄが閉じられて、図９（ｃ）に示すように変更履歴画面Ｈの表示に戻される。
【００７９】
更に、利用者により、図９（ｃ）に示すように上記任意の履歴ボタンＢｈを付与された機能設定項目Ｆ５の設定内容が３秒を超える間タッチ操作されると、制御部６１の制御により図９（ｄ）に示すように再起動画面Ｓｋが表示部４７３に表示されると共に、ネットワーク再起動が行われて、機能設定項目Ｆ５の３秒を超える間タッチ操作された設定内容及び機能設定項目Ｆ３の上記チェックされたチェックボックスＴｂに対応する設定内容、つまり前後一定時間の間に共に変更された機能設定項目Ｆ５の設定内容及び機能設定項目Ｆ３の設定内容がＨＤＤ６３等から読出されて再設定される。
【００８０】
そして、制御部６１の制御により図９（ｅ）に示すようなネットワーク設定画面ＮＩが表示部４７３に表示される。図９（ｅ）のネットワーク設定画面ＮＩの一覧Ｌでは、機能設定項目Ｆ５及び機能設定項目Ｆ３が先頭から順次配置され、かつ該各機能設定項目Ｆ５、Ｆ３の表示色が他の機能設定項目の色とは異なる。
【００８１】
このように変更履歴画面Ｈに履歴ボタンＢｈが表示された場合は、履歴ボタンＢｈ等の操作により、前後一定時間の間に共に変更された２つの機能設定項目の設定内容を再設定することができる。
【００８２】
引き続いて、図１０（ａ）に示すようなネットワーク設定画面ＮＩ（図９（ｅ）と同様の画面）において、利用者により機能設定項目Ｆ５が３秒を超える間タッチ操作されると、図１０（ｂ）に示すように機能設定項目Ｆ５の変更履歴情報を示す変更履歴画面Ｈが表示部４７３に表示される。この後、利用者により変更履歴画面Ｈの閉ボタンＢｃがタッチ操作されると、変更履歴画面Ｈが閉じられて、図１０（ｃ）に示すようなネットワーク設定画面ＮＩが表示される。図１０（ｃ）のネットワーク設定画面ＮＩにおいては、機能設定項目Ｆ５の表示色が薄くされて機能設定項目Ｆ３の表示色及び他の機能設定項目の表示色とは区別される。
【００８３】
更に、図１０（ｃ）のネットワーク設定画面ＮＩにおいて、利用者により機能設定項目Ｆ３が３秒を超える間タッチ操作されると、図１０（ｄ）に示すように機能設定項目Ｆ３の変更履歴情報を示す変更履歴画面Ｈが表示部４７３に表示される。この後、利用者により変更履歴画面Ｈの閉ボタンＢｃがタッチ操作されると、変更履歴画面Ｈが閉じられて、図１０（ｅ）に示すようなネットワーク設定画面ＮＩが表示される。図１０（ｅ）のネットワーク設定画面ＮＩは、図３Ａ（ａ）の元のネットワーク設定画面ＮＩと同一であり、各機能設定項目Ｆ１〜Ｆ５を予め設定された順序で配列した一覧Ｌを示している。また、各機能設定項目Ｆ５、Ｆ３の表示色が、他の機能設定項目の表示色と同一にされる。
＜機能設定項目の設定内容を確認する処理＞
【００８４】
次に、ネットワーク設定画面ＮＩにおける機能設定項目の設定内容を確認するための処理について説明する。図１６は、ネットワーク設定画面ＮＩにおける機能設定項目の設定内容を確認するための処理を示すフローチャートである。図１１（ａ）に示すようなネットワーク設定画面ＮＩ（図３Ａ（ａ）と同様の画面）において（Ｓ７１）、利用者により任意の機能設定項目が３秒を超える間タッチ操作されると（Ｓ７２でＹＥＳ）、制御部６１の制御により図１１（ｂ）に示すように任意の機能設定項目の変更履歴情報を示す変更履歴画面Ｈが表示部４７３に表示される（Ｓ７３）。この後、利用者により変更履歴画面Ｈの閉ボタンＢｃがタッチ操作されると、制御部６１の制御により変更履歴画面Ｈが閉じられて、図１１（ａ）のネットワーク設定画面ＮＩの表示に戻される。
【００８５】
ここでは、機能設定項目に対するタッチ操作が３秒を超えたときに、変更履歴画面Ｈを表示している。これは、先に述べたように図３Ａ（ａ）のネットワーク設定画面ＮＩにおける機能設定項目の設定内容を変更する処理でも、機能設定項目に対するタッチ操作を行っていることから、この設定内容の変更のためのタッチ操作と変更履歴画面Ｈを表示するためのタッチ操作との判別を可能にするためである。すなわち、機能設定項目が３秒を超える間タッチ操作されると、変更履歴画面Ｈが表示され、また機能設定項目が３秒以下の間タッチ操作されると（Ｓ７２でＮＯ）、機能設定項目の設定内容を変更する処理に移り、制御部６１により、機能設定項目の設定内容の変更指示を受け付けるための表示画面の表示や、当該表紙画面に基づく設定変更の受付処理、受け付けた内容での設定を変更する等の処理が行われる（Ｓ７４）。
【００８６】
このように本実施形態では、ネットワーク設定画面ＮＩにおける任意の機能設定項目の設定内容の変更を指示すると、ネットワーク再起動が行われて、この機能設定項目の設定内容が変更され、この機能設定項目の変更履歴情報が更新され、この機能設定項目がネットワーク設定画面ＮＩの一覧Ｌの先頭に配列されて、この機能設定項目の表示色が他の機能設定項目の表示色と異なるように設定される。また、画面上の機能設定項目や設定内容のタッチ操作により、変更履歴情報を印刷したり表示したりすることができ、あるいは設定内容を変更前の設定内容に戻したり確認することができる。さらに、いずれの利用者も、またネットワーク上のいずれの端末装置からでも、同様の処理を行うことができるため、利便性が著しく向上する。
【００８７】
なお、上記実施形態では、本発明に係る画像処理装置の一実施形態として画像形成装置としてカラー複合機を用いて説明しているが、これは一例に過ぎず、モノクロ複合機やプリンター、コピー機、ファクシミリ装置等の他の画像形成装置でもよいし、更には、他の電子機器であってもよい。
【００８８】
また、上記実施形態では、通信機能を例示しているが、他の機能について本発明を適用しても構わない。
【００８９】
更に、図１乃至図１６を用いて説明した構成及び処理は、本発明の一実施形態に過ぎず、本発明を当該構成及び処理に限定する趣旨ではない。
【符号の説明】
【００９０】
１        画像形成装置
２        装置本体
５        画像読取部
６        原稿給送部
１３      定着部
１４      給紙部
１５      搬送部
４７      操作部
６１      制御部
６２      画像メモリー
６３      ＨＤＤ
１２０    画像形成部
１２２    感光体ドラム
１２３    露光装置
１２５    中間転写ベルト
１２６    １次転写ローラー
４７３    表示部
【図１】
0006327200.tif 000002
【図２】
0006327200.tif 000003
【図３Ａ】
0006327200.tif 000004
【図３Ｂ】
0006327200.tif 000005
【図４】
0006327200.tif 000006
【図５】
0006327200.tif 000007
【図６】
0006327200.tif 000008
【図７】
0006327200.tif 000009
【図８】
0006327200.tif 000010
【図９】
0006327200.tif 000011
【図１０】
0006327200.tif 000012
【図１１】
0006327200.tif 000013
【図１２】
0006327200.tif 000014
【図１３】
0006327200.tif 000015
【図１４】
0006327200.tif 000016
【図１５】
0006327200.tif 000017
【図１６】
0006327200.tif 000018